(57)【要約】  携帯電話装置は、表示パネル（１０Ａ），（１０Ｂ）と、テレビ用アンテナ部（４）と、を備える表示用筐体（１）と、操作部（２０）と携帯電話用アンテナ部（５）とを備える操作用筐体（２）と、これらが相互に回動可能となるように接続するヒンジ部（３）とからなる。テレビ用アンテナ部（４）は表示用筐体（１）のヒンジ部（３）に対向する端部に備えられ、携帯電話用アンテナ部（５）は操作用筐体（２）のヒンジ部（３）側端部に備えられているので、これらのアンテナ間は常に表示用筐体（１）の長さで離間される。また、表示用筐体（１）および操作用筐体（２）には連続するグランド電極が形成されており、テレビ用アンテナ部（４）の一端がこのグランド電極の端部に導通されており、テレビ用アンテナ部（４）に応じた長さのグランド電極が確保される。【特許請求の範囲】
【請求項１】
表示手段を備えた第１筐体と、
操作手段を備えた第２筐体と、
前記第１筐体と前記第２筐体とを回動可能に接続するヒンジとを備えた折り畳み型の携帯電話装置において、
前記第１筐体の前記ヒンジ側に対向する端部に備えられた、第１周波数帯の信号を受信する第１アンテナと、
前記第２筐体に備えられた、前記第１周波数帯よりも高い周波数の第２周波数帯の信号を送受信する第２アンテナと、
前記第１筐体の前記第１アンテナ側端部から、前記第２筐体の前記ヒンジ側に対向する端部まで連続して形成されたグランド電極と、を備えたことを特徴とする携帯電話装置。
【請求項２】
前記第１周波数帯の信号はテレビジョン放送信号であり、前記第２周波数帯の信号は携帯電話通信信号であって、前記第２アンテナは前記携帯電話通信信号の送受信を行うものである請求項１に記載の携帯電話装置。
【請求項３】
前記第１アンテナは、前記第１筐体の第１アンテナ側端部から外部に突出する直線状導電体アンテナと、前記第１筐体内に配置され、前記直線状導電体アンテナに導通するチップアンテナとを備えた請求項１または請求項２に記載の携帯電話装置。
【請求項４】
前記直線状導電体アンテナは、前記第１筐体への取り付け部で回動可能に設置されている請求項３に記載の携帯電話装置。
【請求項５】
前記第１アンテナは、前記第１筐体内に配置された板状導電体アンテナと、該板状導電体アンテナに導通するチップアンテナとを備えた請求項１または請求項２に記載の携帯電話装置。
【請求項６】
前記板状導電体アンテナは、前記第１筐体の内面に貼設されている請求項５に記載の携帯電話装置。
【請求項７】
前記第１アンテナは、実効アンテナ長を選択的に可変させるアンテナ長選択手段を備えた請求項１〜請求項６のいずれかに記載の携帯電話装置。
【請求項８】
前記第１アンテナは、前記第１筐体に対して着脱可能に設置されている請求項１〜請求項７のいずれかに記載の携帯電話装置。
【請求項９】
前記第２アンテナは前記第２筐体の前記ヒンジ側端部に備えられている請求項１〜請求項８のいずれかに記載の携帯電話装置。
【請求項１０】
前記第２アンテナは前記第２筐体の前記ヒンジ側と対向する側の端部に備えられている請求項１〜請求項８のいずれかに記載の携帯電話装置。
【請求項１１】
前記チップアンテナは、誘電材料または磁性材料の少なくとも一方で形成された基体と、該基体の内部または表面の少なくとも一方に形成された電力供給用導体と、該電力供給用導体に電力供給する電力供給端子と、を備えた請求項３または請求項５に記載の携帯電話装置。
【請求項１２】
前記アンテナ長選択手段は、前記チップアンテナの一方端と信号出力部との間に接続されるスイッチング素子と、前記チップアンテナの他方端と前記信号出力部との間に接続される受動素子と、を備えた請求項７に記載の携帯電話装置。
【請求項１３】
前記受動素子は、インダクタまたはキャパシタである請求項１２に記載の携帯電話装置。
【発明の詳細な説明】
【技術分野】
【０００１】
この発明は、ディジタルテレビジョン放送が受信可能な携帯電話装置、いわゆるテレビ受信機能付き携帯電話装置に関するものである。
【背景技術】
【０００２】
ディジタルテレビジョン放送が受信可能な携帯電話装置（以下、単にテレビ受信機能付き携帯電話装置と称す）は、ディジタルテレビジョン放送信号の周波数帯域（４７０ＭＨｚ〜７７０ＭＨｚ）と携帯電話通信信号の周波数帯域（８００ＭＨｚ帯）とが異なるため、ディジタルテレビジョン放送信号を受信するアンテナ（以下、単に「テレビ受信アンテナ」と称す。）と、携帯電話通信信号を送受信するアンテナ（以下、単に「携帯電話アンテナ」と称す。）と、を個別に備えている。そして、ディジタルテレビジョン放送信号は使用する周波数帯域が広いため、この周波数帯域の信号を高効率に受信するには複数のアンテナ長を実現させなければならず、これを実現する構成が各種考案されている（例えば、特許文献１、特許文献２参照。）。【０００３】
特許文献１に記載のアンテナは、アンテナコアを透磁率の異なる複数のアンテナコアから形成し、目的とする周波数帯域毎に使用する部分を異ならせるものである。また、特許文献２に記載の装置は、筐体から外部に突出するロッドアンテナと筐体内部に配置した受動素子とを用い、例えば、この受動素子を利用するかどうかを選択したり、受動素子の特性値を変化させることにより、高利得な受信周波数帯域を変えるものである。
【特許文献１】特開２００３−１４２９２８公報
【特許文献２】特開２００１−３３９３２９公報
【発明の開示】
【発明が解決しようとする課題】
【０００４】
しかしながら、近年の携帯電話装置の小型化により、前述のようなテレビ受信機能付き携帯電話装置では、テレビ受信アンテナの設置位置と、携帯電話アンテナの設置位置との間隔が短くなる傾向がある。このため、これらのアンテナ同士で相互干渉してしまいディジタルテレビ放送信号の受信や携帯電話通信信号の送受信に支障をきたす可能性が生じる。また、ディジタルテレビジョン放送信号はアナログテレビジョン放送信号と比較して使用周波数帯域が高いものの、最も低い周波数（約４７０ＭＨｚ）は携帯電話通信信号の周波数（約８００ＭＨｚ）の約１／２の周波数である。このため、高効率にディジタルテレビジョン放送信号を受信するには、アンテナ長に寄与するグランドの長さが約２倍必要となり、小型化された携帯電話装置ではこのような形状のグランド電極を形成しにくい。【０００５】
したがって、この発明の目的は、テレビ用アンテナと携帯電話用アンテナとの相互干渉を抑制し、且つディジタルテレビジョン放送信号を高効率に受信することができる携帯電話装置を提供することにある。
【課題を解決するための手段】
【０００６】
この発明は、表示手段を備えた第１筐体と、操作手段を備えた第２筐体と、これら第１筐体と第２筐体とを回動可能に接続するヒンジとを備えた折り畳み型の携帯電話装置において、第１筐体のヒンジ側に対向する端部に備えられたテレビジョン放送信号を受信する第１アンテナと、第２筐体に備えられた携帯電話通信信号を送受信する第２アンテナと、第１筐体の第１アンテナ側端部から第２筐体のヒンジ側に対向する端部まで連続して形成されたグランド電極とを備えたことを特徴としている。【０００７】
より具体的に、この発明の携帯電話装置は、第１周波数帯の信号をテレビジョン放送信号とし、第２周波数帯の信号を携帯電話通信信号として、第２アンテナで携帯電話通信信号の送受信を行うことを特徴としている。【０００８】
この構成では、テレビジョン放送を受信する場合には携帯電話装置を開くため、テレビジョン放送信号を受信する第１アンテナと携帯電話通信信号を送受信する第２アンテナとが、少なくとも第１筐体の長さ分だけ離間される。これにより、第１アンテナと第２アンテナとの相互干渉が抑制される。また、第１筐体の第１アンテナ側端部から第２筐体のヒンジ側に対向する端部まで、すなわち携帯電話装置の略全長に亘り、グランド電極が形成されているため、携帯電話通信信号よりも波長の長い、テレビジョン放送信号を受信する第１アンテナに対して、十分な長さのグランド電極が確保され、このグランド電極からもテレビジョン放送信号が受信される。【０００９】
また、この発明は、第１アンテナを、第１筐体の第１アンテナ側端部から外部に突出する直線状導電体アンテナと、第１筐体内に配置され、直線状導電体アンテナに導通するチップアンテナとを含んで構成したことを特徴としている。【００１０】
この構成では、第１アンテナが直線状導電体アンテナとチップアンテナとを含んで構成されることで、これら複数種のアンテナでテレビジョン放送信号を受信するため、アンテナ性能が向上する。また、これら複数のアンテナで必要なアンテナ長を確保すればよいため、チップアンテナを用いることで、直線状導電体アンテナの長さが短くなる。【００１１】
また、この発明は、直線状導電体アンテナを第１筐体に回動可能に設置したことを特徴としている。【００１２】
この構成では、直線状導電体アンテナが回動することで、テレビジョン放送信号受信時には、第１筐体の直線状導電体アンテナの設置端面（携帯電話装置の上端面）から外側へ、垂直な方向に直線状導電体アンテナを回動させ、テレビジョン放送信号未受信時には、第１筐体の直線状導電体アンテナの設置端面に沿う方向か、第１筐体の直線状導電体アンテナの設置端面（携帯電話装置の上端面）から内側へ、垂直な方向に直線状導電体アンテナが回動される。これにより、使用時には、直線状導電体アンテナがテレビジョン放送信号受信アンテナの一部として有効に機能し、未使用時には、直線状導電体アンテナが携帯電話装置の外形よりもはみ出さないので、携帯電話装置の外形が小型に維持される。【００１３】
また、この発明は、第１アンテナを、第１筐体内に配置された板状導電体アンテナと、該板状導電体アンテナに導通するチップアンテナとを含んで構成したことを特徴としている。【００１４】
この構成では、第１アンテナ全体が第１筐体内に設置されるため、携帯電話装置が小型となる。また、第１アンテナとして板状導電体アンテナとチップアンテナとを用いるため、チップアンテナのみを用いるよりも効率良くテレビジョン放送信号が受信される。【００１５】
また、この発明は、板状導電体アンテナを、第１筐体の内面に貼設したことを特徴としている。【００１６】
この構成では、板状導電体アンテナが第１筐体の内面に貼設されているので、第１筐体内部の実装基板状にこの板状導電体アンテナの実装領域を形成する必要がなく、この領域にチップアンテナを実装することで、第１筐体内のアンテナ形成領域が広がることが防止される。【００１７】
また、この発明は、第１アンテナに、実効アンテナ長を選択的に可変させるアンテナ長選択手段を備えたことを特徴としている。【００１８】
この構成では、第１アンテナのアンテナ長が可変であるので、広い周波数帯域のテレビジョン放送信号に対して、複数の共振周波数が設定し得る。このため、受信するテレビジョン放送信号の周波数に応じて、共振周波数を変更することができる。【００１９】
また、この発明は、第１アンテナを第１筐体に対して着脱可能に設置することを特徴としている。【００２０】
この構成では、テレビジョン放送信号受信時のみ、第１アンテナを装着すればよいので、携帯電話通信信号の送受信の際に相互干渉は生じない。【００２１】
また、この発明は、第２アンテナを第２筐体のヒンジ側端部に備えたことを特徴としている。【００２２】
この構成では、第２アンテナが第２筐体のヒンジ側端部に設置されることで、携帯電話装置を開いた状態でも閉じた状態でも第１アンテナとの間隔が第１筐体の長さ分となるので、これらアンテナ間の相互干渉が抑制される。【００２３】
また、この発明は、第２アンテナを第２筐体のヒンジ側と対向する側の端部に備えたことを特徴としている。【００２４】
この構成では、携帯電話装置を開いた状態で、第１アンテナと第２アンテナとの間隔が携帯電話装置に全長分となるので、これらアンテナ間の相互干渉がさらに抑制される。【００２５】
また、この発明は、チップアンテナを、誘電材料または磁性材料の少なくとも一方で形成された基体と、該基体の内部または表面の少なくとも一方に形成された電力供給用導体と、該電力供給用導体に電力供給する電力供給端子とを含んで構成したことを特徴としている。【００２６】
この構成では、直線状導電体アンテナや板状導電体アンテナと比較して、チップアンテナは小型に形成することができるととともに、第１筐体内の実装基板状に実装することができるので、送受信特性を劣化させることなく、第１アンテナが小型化される。【００２７】
また、この発明は、アンテナ長選択手段を、チップアンテナの一方端と信号出力部との間に接続されるスイッチング素子と、チップアンテナの他方端と信号出力部との間に接続される受動素子と、を含んで構成したことを特徴としている。【００２８】
この構成では、スイッチング素子、チップアンテナ、受動素子のみでアンテナ長が変更させるので、容易な構造で、且つ容易な制御により、アンテナ長が変更される。【００２９】
また、この発明は、受動素子をインダクタまたはキャパシタとしたことを特徴としている。【００３０】
この構成では、受動素子がインダクタやキャパシタ等の簡素な素子で構成されるので、前述の特性を有する携帯電話装置がより簡素な構造で構成される。
【発明の効果】
【００３１】
この発明によれば、携帯電話通信信号よりも周波数帯の低いテレビジョン放送信号を受信する第１アンテナと携帯電話通信信号を送受信する第２アンテナとが、少なくとも第１筐体の長さ分だけ離間されることにより、第１アンテナと第２アンテナとの相互干渉を抑制することができる。これにより、第１アンテナによりテレビジョン放送信号の受信特性を向上することができる。【００３２】
さらに、第１筐体の第１アンテナ側端部から第２筐体のヒンジ側に対向する端部まで、グランド電極が形成されていることにより、第１アンテナに対して十分な長さのグランド電極を確保することができる。これにより、グランド電極からもテレビジョン放送信号を受信することができ、テレビジョン放送信号の受信特性をより一層向上することができる。【００３３】
また、この発明によれば、テレビジョン放送信号を受信する第１アンテナが第１筐体から外部に突出する直線状導電体アンテナと第１筐体内に設置されたチップアンテナとからなることで、直線状導電体アンテナのみを用いる場合よりも受信特性を向上することができる。さらに、必要なアンテナ長に対して、チップアンテナ分だけ直線状導電体アンテナの長さが短くなり、テレビジョン放送信号を受信時の携帯電話装置の全長を短くすることができる。【００３４】
また、この発明によれば、直線状導電体アンテナが回動することで、直線状導電体アンテナを使用時には第１筐体から外部に突出させ、未使用時には第１筐体の外形寸法内に納めることができるので、使用時の受信特性を維持しながら未使用時の携帯電話装置の外形を小型化することができる。【００３５】
また、この発明によれば、直線状導電体アンテナに代えて板状導電体アンテナを用いることで、テレビジョン放送信号を受信する第１アンテナが全て第１筐体内に設置されるので、携帯電話装置を小型化することができる。【００３６】
また、この発明によれば、板状導電体アンテナを第１筐体内面に貼設することで、実装基板上にチップアンテナ等の実装部品を実装する領域が確保でき、第１筐体内部を省スペース化することができる。これにより、携帯電話装置をより一層小型化することができる。【００３７】
また、この発明によれば、受信するテレビジョン放送信号の周波数に応じて、アンテナの共振周波数を変更することができるので、広い周波数帯域のテレビジョン放送信号の全域に亘り、効率良くテレビジョン放送信号を受信することができる。【００３８】
また、この発明によれば、テレビジョン放送信号を受信する第１アンテナが着脱可能であるので、必要な時にのみこのアンテナを装着すればよく、携帯電話通信信号送受信時に相互干渉が生じず、携帯電話通信信号を効率良く送受信することができる。【００３９】
また、この発明によれば、携帯電話装置を開いた状態でも閉じた状態でも第１アンテナとの間隔が第１筐体の長さ分となり、これらアンテナ間の相互干渉が抑制されるので、通話時であっても待ち受け時であっても携帯電話通信信号を効率良く送受信することができる。【００４０】
また、この発明によれば、携帯電話装置を開いた状態で、第１アンテナと第２アンテナとの間隔が携帯電話装置に全長分となり、これらアンテナ間の相互干渉がさらに抑制されることで、テレビジョン放送信号受信し、および携帯電話通信信号送受信時にそれぞれの信号をより効率良く送受信することができる。
【図面の簡単な説明】
【００４１】
【図１】第１の実施形態に係る携帯電話装置の外観図である。
【図２】第１の実施形態に係る携帯電話装置のテレビ用アンテナ部４の構成を示す図である。
【図３】テレビ用アンテナ部４におけるＤＣ制御電圧印加時とＤＣ制御電圧無印加時とを示す回路図である。
【図４】第１の実施形態に係る携帯電話装置のダイオードＤ４８がＯＦＦ状態の場合のＶＳＷＲ特性とゲイン特性を示すグラフ、および、この状態でのスミスチャートである。
【図５】第１の実施形態に係る携帯電話装置のダイオードＤ４８がＯＦＦ状態の場合の放射電界強度の指向性を示した図である。
【図６】第１の実施形態に係る携帯電話装置のダイオードＤ４８がＯＮ状態の場合のＶＳＷＲ特性とゲイン特性を示すグラフ、および、この状態でのスミスチャートである。
【図７】第１の実施形態に係る携帯電話装置のダイオードＤ４８がＯＮ状態の場合の放射電界強度の指向性を示した図である。
【図８】第２の実施形態に係る携帯電話装置の外観図である。
【図９】第３の実施形態に係る携帯電話装置の外観図である。
【図１０】第４の実施形態に係る携帯電話装置の外観図である。
【図１１】第４の実施形態に係る携帯電話装置のテレビ用アンテナ部４の回路図である。
【図１２】第５の実施形態に係る携帯電話装置の外観図である。
【図１３】第５の実施形態に係る携帯電話装置の分解構成図である。
【符号の説明】
【００４２】
１−表示用筐体
１０Ａ−メイン表示パネル
１０Ｂ−サブ表示パネル
１０１−基板
１１１−基板１０１のグランド電極
２−操作用筐体
２０−操作部
１０２−基板
１１２−基板１０２のグランド電極
３−ヒンジ部
１１３−フラットケーブル
４−テレビ用アンテナ部
５−携帯電話用アンテナ部
６−テレビ用アンテナ部材
ＡＮＴ４１−ロッドアンテナ
ＡＮＴ４２，４３，５２−チップアンテナ
ＡＮＴ５１−板状アンテナ
【発明を実施するための最良の形態】
【００４３】
本発明の第１の実施形態に係るテレビ機能付き携帯電話装置について図１〜図７を参照して説明する。
図１は本実施形態に係る携帯電話装置の外観図であり、（Ａ）は、開いた状態での正面図、（Ｂ）は開いた状態での側面図、（Ｃ）は開いた状態での筐体内の基板の正面図であり、（Ｄ）は閉じた状態での正面図である。
図１に示すように、本実施形態のテレビ機能付き携帯電話装置は、一方の主面にメイン表示パネル１０Ａを備え、対向する主面にサブ表示パネル１０Ｂを備える表示用筐体１と、一方の主面に複数のボタン等からなる操作部２０を備えた操作用筐体２と、これらが相互に回動可能となるように接続するヒンジ部３とを備える。表示用筐体１と操作用筐体２とは、それぞれメイン表示パネル１０Ａ側の面と操作部２０側の面とが対向するように配置されており、携帯電話装置を閉じた状態（図１（Ｄ））でこれらの面が対向して近接し、開いた状態（図１（Ａ））でこれらの面が略同じ方向を向くように回動可能に固定されている。【００４４】
表示用筐体１には、メイン表示パネル１０Ａ、サブ表示パネル１０Ｂとともに、これら表示パネルを制御するパネル制御回路（図示せず）や携帯電話装置全体の制御を行うメイン制御回路（図示せず）等が実装された基板１０１が内蔵されており、この基板１０１のヒンジ３側と対向する端部に、所定の実効アンテナ長からなるテレビ用アンテナ部４が形成されている。このテレビ用アンテナ部４は、後述するように、ＤＣ制御電圧により実質的に二つのアンテナ長のアンテナとして機能し、それぞれのアンテナ長がテレビジョン放送信号の周波数帯域内の高低二つの所望周波数の略１／４波長の長さになるように構成されている。また、この基板１０１には、基板１０１の長手方向、すなわち、テレビ用アンテナ部４が実装された端部からヒンジ部３側の端部にかけて連続するグランド電極１１１が所定パターンで形成されている。【００４５】
操作用筐体２には、操作部２０とともに、この操作部２０を制御する操作制御回路と電源回路（ともに図示せず）とが実装された基板１０２が内蔵されており、この基板１０２のヒンジ３側の端部に携帯電話用アンテナ部５が形成されている。この携帯電話用アンテナ部５は、実効アンテナ長が携帯電話通信信号の周波数の略１／４波長の長さになるように形成されている。また、この基板１０２には、基板１０２の長手方向、すなわち、携帯電話用アンテナ部５が実装されたヒンジ部３側の端部からこれに対向する端部にかけて連続するグランド電極１１２が所定パターンで形成されている。【００４６】
ヒンジ部３には、表示用筐体１に内蔵されている基板１０１上の回路電極と操作用筐体２に内蔵されている基板１０２上の回路電極とを電気的に接続するフラットケーブル１０３が内蔵されており、基板１０１に実装されている各制御回路と基板１０２に実装されている各制御回路とを導通するとともに、基板１０１のグランド電極１１１と基板１０２のグランド電極１１２とを導通している。【００４７】
ここで、表示用筐体１が本発明の「第１筐体」に相当し、操作用筐体２が本発明の「第２筐体」に相当し、テレビ用アンテナ部４が本発明の「第１アンテナ」に相当し、携帯電話用アンテナ部５が本発明の「第２アンテナ」に相当する。【００４８】
このようなテレビ機能付き携帯電話装置では、本体を開き、すなわち、表示用筐体１を回動させて操作面を露出させ、操作部２０で携帯電話機能を操作すると、これに応じた表示がメイン表示パネル１０Ａに表示されるとともに、携帯電話用アンテナ部５を介して携帯電話通信信号の送受信が行われる。一方、本体を開き、操作部２０でテレビ機能を操作すると、これに応じて、テレビ用アンテナ部４でテレビジョン放送信号を受信して、メイン表示パネル１０Ａに受信したテレビジョン放送を再生した映像が表示される。【００４９】
ここで、前述のように、テレビ用アンテナ部４と携帯電話用アンテナ部５とは、表示用筐体１の長さ分だけ離間しているので、これらが相互干渉することが抑制される。これにより、テレビジョン放送信号受信時にはテレビジョン放送信号を効率良く受信し、携帯電話通信信号送受信時には携帯電話通信信号を効率良く送受信することができる。さらに、グランド電極が表示用筐体１から操作用筐体２にかけて、携帯電話装置の略全長に亘り形成されているため、テレビ用アンテナ部４に対するグランド電極の長さを十分確保することができ、このグランド電極からもテレビジョン放送信号を効率良くに受信でき、全体としてより一層効率的にテレビジョン放送信号を受信することができる。また、本体を閉じた状態でも、二つのアンテナ間が表示用筐体１の長さ分だけ離間されているので、携帯電話の待ち受け時にも、これらのアンテナ同士が相互干渉することなく、携帯電話の呼び出し信号を効率良く受信することができる。【００５０】
次に、テレビ用アンテナ部４の具体的な構造について、図２、図３を参照して説明する。
図２は、テレビ用アンテナ部４の構成を示す図であり、（Ａ）はテレビ用アンテナ部４の構成を示す平面図であり、（Ｂ）はテレビ用アンテナ部４の回路図である。
図３はテレビ用アンテナ部４におけるＤＣ制御電圧印加時とＤＣ制御電圧無印加時との回路を示しており、（Ａ）がＤＣ制御電圧印加時、（Ｂ）がＤＣ制御電圧無印加時を示す。
テレビ用アンテナ部４は、図２（Ａ）に示すように、基板１０１のヒンジ部３に対向する端部の一方の角部に実装された、基板１０１の外方向（ヒンジ部３と対向する方向）に伸びるロッドアンテナＡＮＴ４１と、基板１０１のヒンジ部３に対向する端面に沿って実装されたチップアンテナＡＮＴ４２、ＡＮＴ４３と、これらロッドアンテナＡＮＴ４１、チップアンテナＡＮＴ４２，４３の近傍に実装されたチップ抵抗Ｒ４４と、チップコンデンサＣ４５，Ｃ４６と、チップコイルＬ４７と、チップダイオードＤ４８とからなり、これらの素子と回路パターン４０とにより図２（Ｂ）に示す回路に準じた回路に構成されている。ここで、ロッドアンテナＡＮＴ４１が本発明の「直線状導電体アンテナ」に相当する。【００５１】
ロッドアンテナＡＮＴ４１はチップアンテナＡＮＴ４２の一方端に接続し、チップアンテナＡＮＴ４２の他方端はチップアンテナＡＮＴ４３の一方端に接続する。チップアンテナＡＮＴ４３の他方端はチップコンデンサＣ４５を介して給電点５０、すなわち、テレビジョン放送信号の出力端子に接続している。また、チップアンテナＡＮＴ４３の一方端（チップアンテナＡＮＴ４２との接続点）はチップダイオードＤ４８を介して給電点５０に接続するとともに、チップ抵抗Ｒ４４を介してＤＣ印加端子５１に接続している。また、給電点５０はチップコイルＬ４７を介してグランド電極１１１に接続し、ＤＣ印加端子５１はチップコンデンサＣ４６を介してグランド電極１１１に接続している。ここで、チップアンテナＡＮＴ４２，４３は、チップ状ヘリカルアンテナにより形成されている。チップ状ヘリカルアンテナとは、外形形状が略直方体形状であり、誘電材料および磁性材料の少なくとも一方からなる基体と、この基体の表面もしくは内部に形成されたヘリカル状の導体と、基体表面に形成され、導体に導通する電極端子とにより構成されるものである。【００５２】
このような構成のテレビ用アンテナ部４では、図３に示すように、ＤＣ印加端子５１にＤＣ制御電圧が印加された状態と、ＤＣ制御電圧が印加されていない状態とで異なる特性を示す。
ＤＣ制御電圧が印加されると、チップダイオードＤ４８が短絡状態となり、ロッドアンテナＡＮＴ４１とチップアンテナＡＮＴ４２との直列回路が給電点５０に接続される構造となる。すなわち、チップアンテナＡＮＴ４３とチップコンデンサＣ４５とからなる回路が機能しなくなり、テレビ用アンテナとしては、ロッドアンテナＡＮＴ４１とチップアンテナＡＮＴ４２とのからなる部分のみが機能する。すなわち、アンテナ長はロッドアンテナＡＮＴ４１とチップアンテナＡＮＴ４２とからなる部分で設定される。一方、ＤＣ制御電圧が印加されていないと、チップダイオードＤ４８は開放となるので、実質的にロッドアンテナＡＮＴ４１とチップアンテナＡＮＴ４２とチップアンテナＡＮＴ４３との直列回路がチップコンデンサＣ４５を介して給電点５０に接続される構造となる。すなわち、テレビ用アンテナとしては、ロッドアンテナＡＮＴ４１とチップアンテナＡＮＴ４２とチップアンテナＡＮＴ４３とからなる部分が機能する。すなわち、アンテナ長はロッドアンテナＡＮＴ４１とチップアンテナＡＮＴ４２，ＡＮＴ４３とからなる部分で設定される。これにより、ＤＣ制御電圧を印加することで、ＤＣ制御電圧を印加していない状態よりもチップアンテナＡＮＴ４３の分だけアンテナ長が短くなり、二つの共振周波数を備えるアンテナを構成することができる。そして、このＤＣ制御電圧を印加していない状態での共振周波数と、ＤＣ制御電圧を印加した状態での共振周波数とをテレビジョン放送信号の周波数帯域内の低周波数領域と高周波数領域とに設定することで、周波数帯域の広いテレビジョン放送信号を受信することができる。これら、ＤＣ印加端子５１、チップ抵抗Ｒ４４、チップダイオードＤ４８、チップコイルＬ４７、チップアンテナＡＮＴ４２，ＡＮＴ４３、チップコンデンサＣ４５，Ｃ４６からなる回路が本発明の「アンテナ長選択手段」に相当する。【００５３】
次に、本実施形態の構成のテレビ機能付き携帯電話装置のテレビジョン放送信号の周波数帯域の放射特性（受信特性に相当する）の具体的な実験結果を説明する。
図４（Ａ）は、ダイオードＤ４８がＯＦＦ状態の場合、すなわちアンテナ長が長い場合のテレビ用アンテナ部４のＶＳＷＲ特性とゲイン特性を示すグラフであり、図４（Ｂ）はこの状態でのスミスチャートである。
図５は、ダイオードＤ４８がＯＦＦ状態の場合の放射電界強度の指向性を図示したものであり、携帯電話装置に対する平面方位と、４７０ＭＨｚでの指向性および５７０ＭＨｚでの指向性とを図示している。そして、表１は、この携帯電話装置の六つの基準方位毎のゲインの最大値および平均値を示すとともに、これらから算出される放射効率（Ｅｆｆｉｅｎｃｙ）を示す。【００５４】
また、図６（Ａ）はダイオードＤ４８がＯＮ状態の場合、すなわちアンテナ長が短い場合のテレビ用アンテナ部４のＶＳＷＲ特性とゲイン特性を示すグラフであり、図６（Ｂ）はこの状態でのスミスチャートである。
図７は、ダイオードＤ４８がＯＮ状態の場合の放射電界強度の指向性を図示したものであり、携帯電話装置に対する平面方位と、６７０ＭＨｚでの指向性および７７０ＭＨｚでの指向性とを図示している。そして、表２は、この携帯電話装置の六つの基準方位毎のゲインの最大値および平均値を示すとともに、これらから算出される放射効率（Ｅｆｆｉｅｎｃｙ）を示す。【００５５】
そして、表３は、これらの結果を纏めたものであり、本実施形態のテレビ用アンテナ部４の構成を用いた場合での、ＶＳＷＲ特性(VSWR Value)、ピークゲイン(Peak Gain)[dBd]、放射効率(Efficiency)[dB]を４７０ＭＨｚ，５７０ＭＨｚ，６７０ＭＨｚ，７７０ＭＨｚで測定した結果を示している。【００５６】
【表１】
2005114778.tif 000002
【００５７】
【表２】
2005114778.tif 000003
【００５８】
【表３】
2005114778.tif 000004
【００５９】
このように、本実施形態の携帯電話装置の構造を用いることで、４７０ＭＨｚから７７０ＭＨｚまで、ＶＳＷＲが３．０程度となり、ピークゲインが約−３．０［dBd］となり、放射効率が約−５．０［dB］以上となるので、非常に良好な放射特性を得ることができる。すなわち、テレビジョン放送信号の周波数帯域の全域に亘り高効率でテレビジョン放送信号を受信するテレビ機能付き携帯電話装置を実現することができる。【００６０】
以上のように、本実施形態の構成を用いることで、テレビ用アンテナ部と携帯電話用アンテナとが、所定間隔で確実に離間されるので、テレビジョン放送信号受信用アンテナと携帯電話通信信号送受信用アンテナとの相互干渉を抑制して、これらの信号を高効率で送受信するテレビ機能付き携帯電話装置を実現することができる。【００６１】
さらに、テレビ用アンテナ部に対しては携帯電話装置の全長に亘り形成されたグランド電極が接続されているので、より一層高効率にテレビジョン放送信号を受信するテレビ機能付き携帯電話装置を実現することができる。【００６２】
また、さらに、テレビ用アンテナ部の実効アンテナ長を変更することができるので、使用周波数帯域が広いテレビジョン放送信号に対しても全帯域に亘り良好な受信特性となるテレビ機能付き携帯電話装置を実現することができる。【００６３】
次に、第２の実施形態に係るテレビ機能付き携帯電話装置について図８を参照して説明する。
図８は、本実施形態に係る携帯電話装置の外観図であり、（Ａ）は、開いた状態での正面図、（Ｂ）は開いた状態での側面図、（Ｃ）は開いた状態での筐体内の基板の正面図であり、（Ｄ）は閉じた状態での正面図である。
図８に示す携帯電話装置は、携帯電話用アンテナ部５が操作用筐体２のヒンジ部３側に対向する端部に形成されているものであり、他の構成は図１に示した携帯電話装置と同じである。【００６４】
このような構成とすることで、本体を開いた状態で、テレビ用アンテナ部４と携帯電話用アンテナ部５とが表示用筐体１および操作用筐体２の長さ分、すなわち携帯電話装置の長さ分だけ離間しているので、第１の実施形態に示した携帯電話装置よりも、これらのアンテナ間がより離間される。このため、これらのアンテナ同士での相互干渉がより一層抑制され、テレビジョン放送信号をより一層効率良く受信することができるとともに、携帯電話通信信号もより一層効率良く送受信することができる。なお、この実施形態では、本体を閉じた状態でテレビ用アンテナ部４と携帯電話用アンテナ部５とが近接するが、本体を閉じた状態では、テレビ用アンテナ部４には給電されていいないので、これらのアンテナが相互干渉することはない。【００６５】
次に、第３の実施形態に係るテレビ機能付き携帯電話装置について図９を参照して説明する。
図９は、本実施形態に係る携帯電話装置の外観図であり、（Ａ）は開いた状態での正面図、（Ｂ）は開いた状態での側面図、（Ｃ）、（Ｄ）は閉じた状態での正面図である。
図９に示す携帯電話装置は、テレビ用アンテナ部４のロッドアンテナＡＮＴ４１を表示用筐体１に対して回動可能に設置したものであり、他の構成は図１に示した携帯電話装置と同じである。【００６６】
この構成では、ロッドアンテナＡＮＴ４１が表示用筐体１に対して回動可能に設置されていることで、テレビジョン放送信号受信時にはロッドアンテナＡＮＴ４１を表示用筐体１からヒンジ部３と対向する方向に突出させ、テレビジョン放送信号未受信には、図９（Ｃ）、（Ｄ）に示すように、ロッドアンテナＡＮＴ４１を表示用筐体１の端面に沿って表示用筐体１の外形寸法内に配置することができる。これにより、使用時には、効率良くテレビジョン放送信号を受信できるテレビ用アンテナ部４を構成し、未使用時には、外形寸法を小型に維持するテレビ機能付き携帯電話装置を構成することができる。【００６７】
次に、第４の実施形態に係るテレビ機能付き携帯電話装置について、図１０、図１１を参照して説明する。
図１０は本実施形態に係る携帯電話装置の外観図であり、（Ａ）は開いた状態での正面図、（Ｂ）は開いた状態での側面図、（Ｃ）は開いた状態での筐体内の基板の正面図であり、（Ｄ）は閉じた状態での正面図である。
また、図１１は本実施形態のテレビ用アンテナ部４の回路図である。
図１０に示す携帯電話装置は、テレビ用アンテナ部４の構成が代わったものであり、他の構成は図１に示した携帯電話装置と同じである。
具体的には、テレビ用アンテナ部４のロッドアンテナＡＮＴ４１に代わり、表示用筐体１の内面に貼設された板状アンテナＡＮＴ５１を配置し、この板状アンテナＡＮＴ５１の一方端がチップアンテナＡＮＴ４２の一方端に接続している。また、チップアンテナＡＮＴ４３に接続するチップコンデンサＣ４５と給電点５０との間に、チップアンテナＡＮＴ５２およびチップコンデンサＣ５４の直列回路と、チップダイオードＤ５６との並列回路が接続され、この並列回路と前記チップコンデンサＣ４５との接続点がチップ抵抗Ｒ５３を介して、チップコンデンサＣ５５によりグランド電極１１１に接続された第２のＤＣ印加端子５２に接続されている。そして、二つのＤＣ印加端子５１，５２に印加するＤＣ制御電圧の組み合わせを制御することで、異なる三種類のアンテナ長を実現することができる。具体的には、板状アンテナＡＮＴ５１、チップアンテナＡＮＴ４２のみがアンテナとして機能する最もアンテナ長が短いモードと、板状アンテナＡＮＴ５１、チップアンテナＡＮＴ４２，ＡＮＴ４３がアンテナとして機能する中間の長さのアンテナ長からなるモードと、板状アンテナＡＮＴ５１、チップアンテナＡＮＴ４２，ＡＮＴ４３，ＡＮＴ５２の全てがアンテナとして機能する最も長いアンテナ長からなるモードとを選択的に設定することができる。【００６８】
このように、ロッドアンテナを表示用筐体内に形成された板状アンテナに置換することで、テレビ用アンテナ部４が筐体から全く突出しないので、テレビジョン放送信号受信時でも携帯電話装置の外形を小さくすることができる。この際、板状アンテナでは外部に突出するロッドアンテナと比較して放射特性が劣化するが、前述のようにアンテナ長の設定が細分化されることで、アンテナのインピーダンス整合を細かく設定でき、前述の劣化を抑制することができる。この際、板状アンテナＡＮＴ５１が表示用筐体１の内面に貼設されているので、これに対向する基板１０１表面に前記チップアンテナＡＮＴ４２，４３，５２を実装することができ、結果的に高効率でテレビ所放送信号を受信する携帯電話装置を小型に形成することができる。【００６９】
次に、第５の実施形態に係るテレビ機能付き携帯電話装置について図１２を参照して説明する。
図１２は本実施形態に係る携帯電話装置の外観図であり、（Ａ）は開いた状態での正面図、（Ｂ）は開いた状態での側面図である。
また、図１３（Ａ）は本実施形態に係る携帯電話装置の分解構成図であり、図１３（Ｂ）はこの装置のテレビ用アンテナ部材６の平面図である。
図１２、図１３に示すテレビ機能付き携帯電話装置は、第１の実施形態に示したテレビ用アンテナ部４が、着脱可能なテレビ用アンテナ部材６に代わったものであり、他の構成は図１に示したテレビ機能付き携帯電話装置と同じである。
テレビ用アンテナ部材６は、基板６０に、ロッドアンテナＡＮＴ６１と、チップアンテナＡＮＴ６２，ＡＮＴ６３と、チューナ回路６４とが実装されたものであり、ロッドアンテナ６１が図２のロッドアンテナＡＮＴ４１に対応し、チップアンテナＡＮＴ６２，ＡＮＴ６３が図２のチップアンテナＡＮＴ４２，ＡＮＴ４３にそれぞれ対応した、図２に示したアンテナ回路と同じ構成の回路が形成されている。そして、この回路の給電点がチューナ回路６４に接続する構造を成している。【００７０】
このような構成であっても、第１の実施形態と同様の効果を奏することができるとともに、テレビジョン放送受信時にのみテレビ用アンテナ部材６を装着すればよいので、携帯電話送受信時には携帯電話用アンテナのみが配置される状態となる。これにより、相互干渉は生じず、より一層効率良く携帯電話通信信号を送受信することができる。【００７１】
なお、前述の各実施形態では、第１周波数帯の信号としてテレビジョン放送信号を用い、第１周波数帯よりも高い周波数の第２周波数帯の信号として携帯電話通信信号を用いた例を示した。しかしながら、装置が受信する２つの信号の周波数が異なるものであれば、前述の構成を適用することができ、前述の効果を奏することができる。
【図１】
2005114778.tif 000005
【図２】
2005114778.tif 000006
【図３】
2005114778.tif 000007
【図４】
2005114778.tif 000008
【図５】
2005114778.tif 000009
【図６】
2005114778.tif 000010
【図７】
2005114778.tif 000011
【図８】
2005114778.tif 000012
【図９】
2005114778.tif 000013
【図１０】
2005114778.tif 000014
【図１１】
2005114778.tif 000015
【図１２】
2005114778.tif 000016
【図１３】
2005114778.tif 000017
【手続補正書】
【提出日】平成18年11月15日(2006.11.15)
【手続補正１】
【補正対象書類名】特許請求の範囲
【補正対象項目名】全文
【補正方法】変更
【補正の内容】
【特許請求の範囲】
【請求項１】
表示手段を備えた第１筐体と、
操作手段を備えた第２筐体と、
前記第１筐体と前記第２筐体とを回動可能に接続するヒンジとを備えた折り畳み型の携帯電話装置において、
前記第１筐体の前記ヒンジ側に対向する端部に設置された第１部分アンテナ部および該第1部分アンテナ部と信号出力部との間に接続される第２部分アンテナ部を備え、第１周波数帯の信号を受信する第１アンテナと、
前記第２筐体に備えられた、前記第１周波数帯よりも高い周波数の第２周波数帯の信号を送受信する第２アンテナと、
前記第１筐体の前記第１アンテナ側端部から、前記第２筐体の前記ヒンジ側に対向する端部まで連続して形成されたグランド電極と、
前記第２部分アンテナ部の実効アンテナ長を変化させるスイッチング素子を備え、該スイッチング素子を制御して前記第１アンテナの実効アンテナ長を前記信号出力部側から選択的に可変させるアンテナ長選択手段と、
を備えた携帯電話装置。
【請求項２】
前記第１周波数帯の信号はテレビジョン放送信号であり、前記第２周波数帯の信号は携帯電話通信信号であって、前記第２アンテナは前記携帯電話通信信号の送受信を行うものである請求項１に記載の携帯電話装置。
【請求項３】
前記第１部分アンテナ部は、前記第１筐体の第１アンテナ側端部から外部に突出する直線状導電体アンテナであり、前記第２部分アンテナ部は、前記第１筐体内に配置され、前記直線状導電体アンテナに導通するチップアンテナである請求項１または請求項２に記載の携帯電話装置。
【請求項４】
前記直線状導電体アンテナは、前記第１筐体への取り付け部で回動可能に設置されている請求項３に記載の携帯電話装置。
【請求項５】
前記第１部分アンテナ部は、前記第１筐体内に配置された板状導電体アンテナであり、前記第２部分アンテナ部は、該板状導電体アンテナに導通するチップアンテナである請求項１または請求項２に記載の携帯電話装置。
【請求項６】
前記板状導電体アンテナは、前記第１筐体の内面に貼設されている請求項５に記載の携帯電話装置。
【請求項７】
前記第１アンテナは、前記第１筐体に対して着脱可能に設置されている請求項１〜請求項６のいずれかに記載の携帯電話装置。
【請求項８】
前記第２アンテナは前記第２筐体の前記ヒンジ側端部に備えられている請求項１〜請求項７のいずれかに記載の携帯電話装置。
【請求項９】
前記第２アンテナは前記第２筐体の前記ヒンジ側と対向する側の端部に備えられている請求項１〜請求項７のいずれかに記載の携帯電話装置。
【請求項１０】
前記チップアンテナは、誘電材料または磁性材料の少なくとも一方で形成された基体と、該基体の内部または表面の少なくとも一方に形成された電力供給用導体と、該電力供給用導体に電力供給する電力供給端子と、を備えた請求項３または請求項５に記載の携帯電話装置。
【手続補正２】
【補正対象書類名】明細書
【補正対象項目名】全文
【補正方法】変更
【補正の内容】
【発明の詳細な説明】
【技術分野】
【０００１】
この発明は、ディジタルテレビジョン放送が受信可能な携帯電話装置、いわゆるテレビ受信機能付き携帯電話装置に関するものである。
【背景技術】
【０００２】
ディジタルテレビジョン放送が受信可能な携帯電話装置（以下、単にテレビ受信機能付き携帯電話装置と称す）は、ディジタルテレビジョン放送信号の周波数帯域（４７０ＭＨｚ〜７７０ＭＨｚ）と携帯電話通信信号の周波数帯域（８００ＭＨｚ帯）とが異なるため、ディジタルテレビジョン放送信号を受信するアンテナ（以下、単に「テレビ受信アンテナ」と称す。）と、携帯電話通信信号を送受信するアンテナ（以下、単に「携帯電話アンテナ」と称す。）と、を個別に備えている。そして、ディジタルテレビジョン放送信号は使用する周波数帯域が広いため、この周波数帯域の信号を高効率に受信するには複数のアンテナ長を実現させなければならず、これを実現する構成が各種考案されている（例えば、特許文献１、特許文献２参照。）。
【０００３】
特許文献１に記載のアンテナは、アンテナコアを透磁率の異なる複数のアンテナコアから形成し、目的とする周波数帯域毎に使用する部分を異ならせるものである。また、特許文献２に記載の装置は、筐体から外部に突出するロッドアンテナと筐体内部に配置した受動素子とを用い、例えば、この受動素子を利用するかどうかを選択したり、受動素子の特性値を変化させることにより、高利得な受信周波数帯域を変えるものである。
【特許文献１】特開２００３−１４２９２８公報
【特許文献２】特開２００１−３３９３２９公報
【発明の開示】
【発明が解決しようとする課題】
【０００４】
しかしながら、近年の携帯電話装置の小型化により、前述のようなテレビ受信機能付き携帯電話装置では、テレビ受信アンテナの設置位置と、携帯電話アンテナの設置位置との間隔が短くなる傾向がある。このため、これらのアンテナ同士で相互干渉してしまいディジタルテレビ放送信号の受信や携帯電話通信信号の送受信に支障をきたす可能性が生じる。また、ディジタルテレビジョン放送信号はアナログテレビジョン放送信号と比較して使用周波数帯域が高いものの、最も低い周波数（約４７０ＭＨｚ）は携帯電話通信信号の周波数（約８００ＭＨｚ）の約１／２の周波数である。このため、高効率にディジタルテレビジョン放送信号を受信するには、アンテナ長に寄与するグランドの長さが約２倍必要となり、小型化された携帯電話装置ではこのような形状のグランド電極を形成しにくい。
【０００５】
したがって、この発明の目的は、テレビ用アンテナと携帯電話用アンテナとの相互干渉を抑制し、且つディジタルテレビジョン放送信号を高効率に受信することができる携帯電話装置を提供することにある。
【課題を解決するための手段】
【０００６】
この発明は、表示手段を備えた第１筐体と、操作手段を備えた第２筐体と、第１筐体と第２筐体とを回動可能に接続するヒンジとを備えた折り畳み型の携帯電話装置において、第１筐体のヒンジ側に対向する端部に設置された第１部分アンテナ部および該第1部分アンテナ部と信号出力部との間に接続される第２部分アンテナ部を備え、第１周波数帯の信号を受信する第１アンテナと、第２筐体に備えられた、第１周波数帯よりも高い周波数の第２周波数帯の信号を送受信する第２アンテナと、第１筐体の第１アンテナ側端部から、第２筐体のヒンジ側に対向する端部まで連続して形成されたグランド電極と、第２部分アンテナ部の実効アンテナ長を変化させるスイッチング素子を備え、該スイッチング素子を制御して第１アンテナの実効アンテナ長を信号出力部側から選択的に可変させるアンテナ長選択手段と、を備えたことを特徴としている。
【０００７】
より具体的に、この発明の携帯電話装置は、第１周波数帯の信号をテレビジョン放送信号とし、第２周波数帯の信号を携帯電話通信信号として、第２アンテナで携帯電話通信信号の送受信を行うことを特徴としている。
【０００８】
この構成では、テレビジョン放送を受信する場合には携帯電話装置を開くため、テレビジョン放送信号を受信する第１アンテナと携帯電話通信信号を送受信する第２アンテナとが、少なくとも第１筐体の長さ分だけ離間される。これにより、第１アンテナと第２アンテナとの相互干渉が抑制される。また、第１筐体の第１アンテナ側端部から第２筐体のヒンジ側に対向する端部まで、すなわち携帯電話装置の略全長に亘り、グランド電極が形成されているため、携帯電話通信信号よりも波長の長い、テレビジョン放送信号を受信する第１アンテナに対して、十分な長さのグランド電極が確保され、このグランド電極からもテレビジョン放送信号が受信される。さらに、この構成では、第１アンテナのアンテナ長が可変であるので、広い周波数帯域のテレビジョン放送信号に対して、複数の共振周波数が設定し得る。このため、受信するテレビジョン放送信号の周波数に応じて、共振周波数を変更することができる。さらに、この構成では、スイッチング素子、チップアンテナ、受動素子のみでアンテナ長を変更させるので、容易な構造で且つ容易な制御により、アンテナ長が変更される。
【０００９】
また、この発明は、第１部分アンテナ部が、第１筐体の第１アンテナ側端部から外部に突出する直線状導電体アンテナであり、第２部分アンテナ部が、第１筐体内に配置され、直線状導電体アンテナに導通するチップアンテナであることを特徴としている。
【００１０】
この構成では、第１アンテナが直線状導電体アンテナとチップアンテナとを含んで構成されることで、これら複数種のアンテナでテレビジョン放送信号を受信するため、アンテナ性能が向上する。また、これら複数のアンテナで必要なアンテナ長を確保すればよいため、チップアンテナを用いることで、直線状導電体アンテナの長さが短くなる。
【００１１】
また、この発明は、直線状導電体アンテナを第１筐体に回動可能に設置したことを特徴としている。
【００１２】
この構成では、直線状導電体アンテナが回動することで、テレビジョン放送信号受信時には、第１筐体の直線状導電体アンテナの設置端面（携帯電話装置の上端面）から外側へ、垂直な方向に直線状導電体アンテナを回動させ、テレビジョン放送信号未受信時には、第１筐体の直線状導電体アンテナの設置端面に沿う方向か、第１筐体の直線状導電体アンテナの設置端面（携帯電話装置の上端面）から内側へ、垂直な方向に直線状導電体アンテナが回動される。これにより、使用時には、直線状導電体アンテナがテレビジョン放送信号受信アンテナの一部として有効に機能し、未使用時には、直線状導電体アンテナが携帯電話装置の外形よりもはみ出さないので、携帯電話装置の外形が小型に維持される。
【００１３】
また、この発明は、第１部分アンテナ部が、第１筐体内に配置された板状導電体アンテナであり、第２部分アンテナ部が、該板状導電体アンテナに導通するチップアンテナであることを特徴としている。
【００１４】
この構成では、第１アンテナ全体が第１筐体内に設置されるため、携帯電話装置が小型となる。また、第１アンテナとして板状導電体アンテナとチップアンテナとを用いるため、チップアンテナのみを用いるよりも効率良くテレビジョン放送信号が受信される。
【００１５】
また、この発明は、板状導電体アンテナを、第１筐体の内面に貼設したことを特徴としている。
【００１６】
この構成では、板状導電体アンテナが第１筐体の内面に貼設されているので、第１筐体内部の実装基板状にこの板状導電体アンテナの実装領域を形成する必要がなく、この領域にチップアンテナを実装することで、第１筐体内のアンテナ形成領域が広がることが防止される。
【００１７】
また、この発明は、第１アンテナを第１筐体に対して着脱可能に設置することを特徴としている。
【００１８】
この構成では、テレビジョン放送信号受信時のみ、第１アンテナを装着すればよいので、携帯電話通信信号の送受信の際に相互干渉は生じない。
【００１９】
また、この発明は、第２アンテナを第２筐体のヒンジ側端部に備えたことを特徴としている。
【００２０】
この構成では、第２アンテナが第２筐体のヒンジ側端部に設置されることで、携帯電話装置を開いた状態でも閉じた状態でも第１アンテナとの間隔が第１筐体の長さ分となるので、これらアンテナ間の相互干渉が抑制される。
【００２１】
また、この発明は、第２アンテナを第２筐体のヒンジ側と対向する側の端部に備えたことを特徴としている。
【００２２】
この構成では、携帯電話装置を開いた状態で、第１アンテナと第２アンテナとの間隔が携帯電話装置に全長分となるので、これらアンテナ間の相互干渉がさらに抑制される。
【００２３】
また、この発明は、チップアンテナを、誘電材料または磁性材料の少なくとも一方で形成された基体と、該基体の内部または表面の少なくとも一方に形成された電力供給用導体と、該電力供給用導体に電力供給する電力供給端子とを含んで構成したことを特徴としている。
【００２４】
この構成では、直線状導電体アンテナや板状導電体アンテナと比較して、チップアンテナは小型に形成することができるととともに、第１筐体内の実装基板状に実装することができるので、送受信特性を劣化させることなく、第１アンテナが小型化される。
【発明の効果】
【００２５】
この発明によれば、携帯電話通信信号よりも周波数帯の低いテレビジョン放送信号を受信する第１アンテナと携帯電話通信信号を送受信する第２アンテナとが、少なくとも第１筐体の長さ分だけ離間されることにより、第１アンテナと第２アンテナとの相互干渉を抑制することができる。これにより、第１アンテナによりテレビジョン放送信号の受信特性を向上することができる。
【００２６】
また、この発明によれば、受信するテレビジョン放送信号の周波数に応じて、アンテナの共振周波数を変更することができるので、広い周波数帯域のテレビジョン放送信号の全域に亘り、効率良くテレビジョン放送信号を受信することができる。
【００２７】
また、この発明によれば、テレビジョン放送信号を受信する第１アンテナが第１筐体から外部に突出する直線状導電体アンテナと第１筐体内に設置されたチップアンテナとからなることで、直線状導電体アンテナのみを用いる場合よりも受信特性を向上することができる。さらに、必要なアンテナ長に対して、チップアンテナ分だけ直線状導電体アンテナの長さが短くなり、テレビジョン放送信号を受信時の携帯電話装置の全長を短くすることができる。
【００２８】
さらに、第１筐体の第１アンテナ側端部から第２筐体のヒンジ側に対向する端部まで、グランド電極が形成されていることにより、第１アンテナに対して十分な長さのグランド電極を確保することができる。これにより、グランド電極からもテレビジョン放送信号を受信することができ、テレビジョン放送信号の受信特性をより一層向上することができる。
【００２９】
また、この発明によれば、直線状導電体アンテナが回動することで、直線状導電体アンテナを使用時には第１筐体から外部に突出させ、未使用時には第１筐体の外形寸法内に納めることができるので、使用時の受信特性を維持しながら未使用時の携帯電話装置の外形を小型化することができる。
【００３０】
また、この発明によれば、直線状導電体アンテナに代えて板状導電体アンテナを用いることで、テレビジョン放送信号を受信する第１アンテナが全て第１筐体内に設置されるので、携帯電話装置を小型化することができる。
【００３１】
また、この発明によれば、板状導電体アンテナを第１筐体内面に貼設することで、実装基板上にチップアンテナ等の実装部品を実装する領域が確保でき、第１筐体内部を省スペース化することができる。これにより、携帯電話装置をより一層小型化することができる。
【００３２】
また、この発明によれば、テレビジョン放送信号を受信する第１アンテナが着脱可能であるので、必要な時にのみこのアンテナを装着すればよく、携帯電話通信信号送受信時に相互干渉が生じず、携帯電話通信信号を効率良く送受信することができる。
【００３３】
また、この発明によれば、携帯電話装置を開いた状態でも閉じた状態でも第１アンテナとの間隔が第１筐体の長さ分となり、これらアンテナ間の相互干渉が抑制されるので、通話時であっても待ち受け時であっても携帯電話通信信号を効率良く送受信することができる。
【００３４】
また、この発明によれば、携帯電話装置を開いた状態で、第１アンテナと第２アンテナとの間隔が携帯電話装置に全長分となり、これらアンテナ間の相互干渉がさらに抑制されることで、テレビジョン放送信号受信し、および携帯電話通信信号送受信時にそれぞれの信号をより効率良く送受信することができる。
【発明を実施するための最良の形態】
【００３５】
本発明の第１の実施形態に係るテレビ機能付き携帯電話装置について図１〜図７を参照して説明する。
図１は本実施形態に係る携帯電話装置の外観図であり、（Ａ）は、開いた状態での正面図、（Ｂ）は開いた状態での側面図、（Ｃ）は開いた状態での筐体内の基板の正面図であり、（Ｄ）は閉じた状態での正面図である。
図１に示すように、本実施形態のテレビ機能付き携帯電話装置は、一方の主面にメイン表示パネル１０Ａを備え、対向する主面にサブ表示パネル１０Ｂを備える表示用筐体１と、一方の主面に複数のボタン等からなる操作部２０を備えた操作用筐体２と、これらが相互に回動可能となるように接続するヒンジ部３とを備える。表示用筐体１と操作用筐体２とは、それぞれメイン表示パネル１０Ａ側の面と操作部２０側の面とが対向するように配置されており、携帯電話装置を閉じた状態（図１（Ｄ））でこれらの面が対向して近接し、開いた状態（図１（Ａ））でこれらの面が略同じ方向を向くように回動可能に固定されている。
【００３６】
表示用筐体１には、メイン表示パネル１０Ａ、サブ表示パネル１０Ｂとともに、これら表示パネルを制御するパネル制御回路（図示せず）や携帯電話装置全体の制御を行うメイン制御回路（図示せず）等が実装された基板１０１が内蔵されており、この基板１０１のヒンジ３側と対向する端部に、所定の実効アンテナ長からなるテレビ用アンテナ部４が形成されている。このテレビ用アンテナ部４は、後述するように、ＤＣ制御電圧により実質的に二つのアンテナ長のアンテナとして機能し、それぞれのアンテナ長がテレビジョン放送信号の周波数帯域内の高低二つの所望周波数の略１／４波長の長さになるように構成されている。また、この基板１０１には、基板１０１の長手方向、すなわち、テレビ用アンテナ部４が実装された端部からヒンジ部３側の端部にかけて連続するグランド電極１１１が所定パターンで形成されている。
【００３７】
操作用筐体２には、操作部２０とともに、この操作部２０を制御する操作制御回路と電源回路（ともに図示せず）とが実装された基板１０２が内蔵されており、この基板１０２のヒンジ３側の端部に携帯電話用アンテナ部５が形成されている。この携帯電話用アンテナ部５は、実効アンテナ長が携帯電話通信信号の周波数の略１／４波長の長さになるように形成されている。また、この基板１０２には、基板１０２の長手方向、すなわち、携帯電話用アンテナ部５が実装されたヒンジ部３側の端部からこれに対向する端部にかけて連続するグランド電極１１２が所定パターンで形成されている。
【００３８】
ヒンジ部３には、表示用筐体１に内蔵されている基板１０１上の回路電極と操作用筐体２に内蔵されている基板１０２上の回路電極とを電気的に接続するフラットケーブル１０３が内蔵されており、基板１０１に実装されている各制御回路と基板１０２に実装されている各制御回路とを導通するとともに、基板１０１のグランド電極１１１と基板１０２のグランド電極１１２とを導通している。
【００３９】
ここで、表示用筐体１が本発明の「第１筐体」に相当し、操作用筐体２が本発明の「第２筐体」に相当し、テレビ用アンテナ部４が本発明の「第１アンテナ」に相当し、携帯電話用アンテナ部５が本発明の「第２アンテナ」に相当する。
【００４０】
このようなテレビ機能付き携帯電話装置では、本体を開き、すなわち、表示用筐体１を回動させて操作面を露出させ、操作部２０で携帯電話機能を操作すると、これに応じた表示がメイン表示パネル１０Ａに表示されるとともに、携帯電話用アンテナ部５を介して携帯電話通信信号の送受信が行われる。一方、本体を開き、操作部２０でテレビ機能を操作すると、これに応じて、テレビ用アンテナ部４でテレビジョン放送信号を受信して、メイン表示パネル１０Ａに受信したテレビジョン放送を再生した映像が表示される。
【００４１】
ここで、前述のように、テレビ用アンテナ部４と携帯電話用アンテナ部５とは、表示用筐体１の長さ分だけ離間しているので、これらが相互干渉することが抑制される。これにより、テレビジョン放送信号受信時にはテレビジョン放送信号を効率良く受信し、携帯電話通信信号送受信時には携帯電話通信信号を効率良く送受信することができる。さらに、グランド電極が表示用筐体１から操作用筐体２にかけて、携帯電話装置の略全長に亘り形成されているため、テレビ用アンテナ部４に対するグランド電極の長さを十分確保することができ、このグランド電極からもテレビジョン放送信号を効率良くに受信でき、全体としてより一層効率的にテレビジョン放送信号を受信することができる。また、本体を閉じた状態でも、二つのアンテナ間が表示用筐体１の長さ分だけ離間されているので、携帯電話の待ち受け時にも、これらのアンテナ同士が相互干渉することなく、携帯電話の呼び出し信号を効率良く受信することができる。
【００４２】
次に、テレビ用アンテナ部４の具体的な構造について、図２、図３を参照して説明する。
図２は、テレビ用アンテナ部４の構成を示す図であり、（Ａ）はテレビ用アンテナ部４の構成を示す平面図であり、（Ｂ）はテレビ用アンテナ部４の回路図である。
図３はテレビ用アンテナ部４におけるＤＣ制御電圧印加時とＤＣ制御電圧無印加時との回路を示しており、（Ａ）がＤＣ制御電圧印加時、（Ｂ）がＤＣ制御電圧無印加時を示す。
テレビ用アンテナ部４は、図２（Ａ）に示すように、基板１０１のヒンジ部３に対向する端部の一方の角部に実装された、基板１０１の外方向（ヒンジ部３と対向する方向）に伸びるロッドアンテナＡＮＴ４１と、基板１０１のヒンジ部３に対向する端面に沿って実装されたチップアンテナＡＮＴ４２、ＡＮＴ４３と、これらロッドアンテナＡＮＴ４１、チップアンテナＡＮＴ４２，４３の近傍に実装されたチップ抵抗Ｒ４４と、チップコンデンサＣ４５，Ｃ４６と、チップコイルＬ４７と、チップダイオードＤ４８とからなり、これらの素子と回路パターン４０とにより図２（Ｂ）に示す回路に準じた回路に構成されている。ここで、ロッドアンテナＡＮＴ４１が本発明の「直線状導電体アンテナ」に相当する。
【００４３】
ロッドアンテナＡＮＴ４１はチップアンテナＡＮＴ４２の一方端に接続し、チップアンテナＡＮＴ４２の他方端はチップアンテナＡＮＴ４３の一方端に接続する。チップアンテナＡＮＴ４３の他方端はチップコンデンサＣ４５を介して給電点５０、すなわち、テレビジョン放送信号の出力端子に接続している。また、チップアンテナＡＮＴ４３の一方端（チップアンテナＡＮＴ４２との接続点）はチップダイオードＤ４８を介して給電点５０に接続するとともに、チップ抵抗Ｒ４４を介してＤＣ印加端子５１に接続している。また、給電点５０はチップコイルＬ４７を介してグランド電極１１１に接続し、ＤＣ印加端子５１はチップコンデンサＣ４６を介してグランド電極１１１に接続している。ここで、チップアンテナＡＮＴ４２，４３は、チップ状ヘリカルアンテナにより形成されている。チップ状ヘリカルアンテナとは、外形形状が略直方体形状であり、誘電材料および磁性材料の少なくとも一方からなる基体と、この基体の表面もしくは内部に形成されたヘリカル状の導体と、基体表面に形成され、導体に導通する電極端子とにより構成されるものである。
【００４４】
このような構成のテレビ用アンテナ部４では、図３に示すように、ＤＣ印加端子５１にＤＣ制御電圧が印加された状態と、ＤＣ制御電圧が印加されていない状態とで異なる特性を示す。
ＤＣ制御電圧が印加されると、チップダイオードＤ４８が短絡状態となり、ロッドアンテナＡＮＴ４１とチップアンテナＡＮＴ４２との直列回路が給電点５０に接続される構造となる。すなわち、チップアンテナＡＮＴ４３とチップコンデンサＣ４５とからなる回路が機能しなくなり、テレビ用アンテナとしては、ロッドアンテナＡＮＴ４１とチップアンテナＡＮＴ４２とのからなる部分のみが機能する。すなわち、アンテナ長はロッドアンテナＡＮＴ４１とチップアンテナＡＮＴ４２とからなる部分で設定される。一方、ＤＣ制御電圧が印加されていないと、チップダイオードＤ４８は開放となるので、実質的にロッドアンテナＡＮＴ４１とチップアンテナＡＮＴ４２とチップアンテナＡＮＴ４３との直列回路がチップコンデンサＣ４５を介して給電点５０に接続される構造となる。すなわち、テレビ用アンテナとしては、ロッドアンテナＡＮＴ４１とチップアンテナＡＮＴ４２とチップアンテナＡＮＴ４３とからなる部分が機能する。すなわち、アンテナ長はロッドアンテナＡＮＴ４１とチップアンテナＡＮＴ４２，ＡＮＴ４３とからなる部分で設定される。これにより、ＤＣ制御電圧を印加することで、ＤＣ制御電圧を印加していない状態よりもチップアンテナＡＮＴ４３の分だけアンテナ長が短くなり、二つの共振周波数を備えるアンテナを構成することができる。そして、このＤＣ制御電圧を印加していない状態での共振周波数と、ＤＣ制御電圧を印加した状態での共振周波数とをテレビジョン放送信号の周波数帯域内の低周波数領域と高周波数領域とに設定することで、周波数帯域の広いテレビジョン放送信号を受信することができる。これら、ＤＣ印加端子５１、チップ抵抗Ｒ４４、チップダイオードＤ４８、チップコイルＬ４７、チップアンテナＡＮＴ４２，ＡＮＴ４３、チップコンデンサＣ４５，Ｃ４６からなる回路が本発明の「アンテナ長選択手段」に相当する。
【００４５】
次に、本実施形態の構成のテレビ機能付き携帯電話装置のテレビジョン放送信号の周波数帯域の放射特性（受信特性に相当する）の具体的な実験結果を説明する。
図４（Ａ）は、ダイオードＤ４８がＯＦＦ状態の場合、すなわちアンテナ長が長い場合のテレビ用アンテナ部４のＶＳＷＲ特性とゲイン特性を示すグラフであり、図４（Ｂ）はこの状態でのスミスチャートである。
図５は、ダイオードＤ４８がＯＦＦ状態の場合の放射電界強度の指向性を図示したものであり、携帯電話装置に対する平面方位と、４７０ＭＨｚでの指向性および５７０ＭＨｚでの指向性とを図示している。そして、表１は、この携帯電話装置の六つの基準方位毎のゲインの最大値および平均値を示すとともに、これらから算出される放射効率（Ｅｆｆｉｅｎｃｙ）を示す。
【００４６】
また、図６（Ａ）はダイオードＤ４８がＯＮ状態の場合、すなわちアンテナ長が短い場合のテレビ用アンテナ部４のＶＳＷＲ特性とゲイン特性を示すグラフであり、図６（Ｂ）はこの状態でのスミスチャートである。
図７は、ダイオードＤ４８がＯＮ状態の場合の放射電界強度の指向性を図示したものであり、携帯電話装置に対する平面方位と、６７０ＭＨｚでの指向性および７７０ＭＨｚでの指向性とを図示している。そして、表２は、この携帯電話装置の六つの基準方位毎のゲインの最大値および平均値を示すとともに、これらから算出される放射効率（Ｅｆｆｉｅｎｃｙ）を示す。
【００４７】
そして、表３は、これらの結果を纏めたものであり、本実施形態のテレビ用アンテナ部４の構成を用いた場合での、ＶＳＷＲ特性(VSWR Value)、ピークゲイン(Peak Gain)[dBd]、放射効率(Efficiency)[dB]を４７０ＭＨｚ，５７０ＭＨｚ，６７０ＭＨｚ，７７０ＭＨｚで測定した結果を示している。
【００４８】
【表１】
2005114778.tif 000018
【００４９】
【表２】
2005114778.tif 000019
【００５０】
【表３】
2005114778.tif 000020
【００５１】
このように、本実施形態の携帯電話装置の構造を用いることで、４７０ＭＨｚから７７０ＭＨｚまで、ＶＳＷＲが３．０程度となり、ピークゲインが約−３．０［dBd］となり、放射効率が約−５．０［dB］以上となるので、非常に良好な放射特性を得ることができる。すなわち、テレビジョン放送信号の周波数帯域の全域に亘り高効率でテレビジョン放送信号を受信するテレビ機能付き携帯電話装置を実現することができる。
【００５２】
以上のように、本実施形態の構成を用いることで、テレビ用アンテナ部と携帯電話用アンテナとが、所定間隔で確実に離間されるので、テレビジョン放送信号受信用アンテナと携帯電話通信信号送受信用アンテナとの相互干渉を抑制して、これらの信号を高効率で送受信するテレビ機能付き携帯電話装置を実現することができる。
【００５３】
さらに、テレビ用アンテナ部に対しては携帯電話装置の全長に亘り形成されたグランド電極が接続されているので、より一層高効率にテレビジョン放送信号を受信するテレビ機能付き携帯電話装置を実現することができる。
【００５４】
また、さらに、テレビ用アンテナ部の実効アンテナ長を変更することができるので、使用周波数帯域が広いテレビジョン放送信号に対しても全帯域に亘り良好な受信特性となるテレビ機能付き携帯電話装置を実現することができる。
【００５５】
次に、第２の実施形態に係るテレビ機能付き携帯電話装置について図８を参照して説明する。
図８は、本実施形態に係る携帯電話装置の外観図であり、（Ａ）は、開いた状態での正面図、（Ｂ）は開いた状態での側面図、（Ｃ）は開いた状態での筐体内の基板の正面図であり、（Ｄ）は閉じた状態での正面図である。
図８に示す携帯電話装置は、携帯電話用アンテナ部５が操作用筐体２のヒンジ部３側に対向する端部に形成されているものであり、他の構成は図１に示した携帯電話装置と同じである。
【００５６】
このような構成とすることで、本体を開いた状態で、テレビ用アンテナ部４と携帯電話用アンテナ部５とが表示用筐体１および操作用筐体２の長さ分、すなわち携帯電話装置の長さ分だけ離間しているので、第１の実施形態に示した携帯電話装置よりも、これらのアンテナ間がより離間される。このため、これらのアンテナ同士での相互干渉がより一層抑制され、テレビジョン放送信号をより一層効率良く受信することができるとともに、携帯電話通信信号もより一層効率良く送受信することができる。なお、この実施形態では、本体を閉じた状態でテレビ用アンテナ部４と携帯電話用アンテナ部５とが近接するが、本体を閉じた状態では、テレビ用アンテナ部４には給電されていいないので、これらのアンテナが相互干渉することはない。
【００５７】
次に、第３の実施形態に係るテレビ機能付き携帯電話装置について図９を参照して説明する。
図９は、本実施形態に係る携帯電話装置の外観図であり、（Ａ）は開いた状態での正面図、（Ｂ）は開いた状態での側面図、（Ｃ）、（Ｄ）は閉じた状態での正面図である。
図９に示す携帯電話装置は、テレビ用アンテナ部４のロッドアンテナＡＮＴ４１を表示用筐体１に対して回動可能に設置したものであり、他の構成は図１に示した携帯電話装置と同じである。
【００５８】
この構成では、ロッドアンテナＡＮＴ４１が表示用筐体１に対して回動可能に設置されていることで、テレビジョン放送信号受信時にはロッドアンテナＡＮＴ４１を表示用筐体１からヒンジ部３と対向する方向に突出させ、テレビジョン放送信号未受信には、図９（Ｃ）、（Ｄ）に示すように、ロッドアンテナＡＮＴ４１を表示用筐体１の端面に沿って表示用筐体１の外形寸法内に配置することができる。これにより、使用時には、効率良くテレビジョン放送信号を受信できるテレビ用アンテナ部４を構成し、未使用時には、外形寸法を小型に維持するテレビ機能付き携帯電話装置を構成することができる。
【００５９】
次に、第４の実施形態に係るテレビ機能付き携帯電話装置について、図１０、図１１を参照して説明する。
図１０は本実施形態に係る携帯電話装置の外観図であり、（Ａ）は開いた状態での正面図、（Ｂ）は開いた状態での側面図、（Ｃ）は開いた状態での筐体内の基板の正面図であり、（Ｄ）は閉じた状態での正面図である。
また、図１１は本実施形態のテレビ用アンテナ部４の回路図である。
図１０に示す携帯電話装置は、テレビ用アンテナ部４の構成が代わったものであり、他の構成は図１に示した携帯電話装置と同じである。
具体的には、テレビ用アンテナ部４のロッドアンテナＡＮＴ４１に代わり、表示用筐体１の内面に貼設された板状アンテナＡＮＴ５１を配置し、この板状アンテナＡＮＴ５１の一方端がチップアンテナＡＮＴ４２の一方端に接続している。また、チップアンテナＡＮＴ４３に接続するチップコンデンサＣ４５と給電点５０との間に、チップアンテナＡＮＴ５２およびチップコンデンサＣ５４の直列回路と、チップダイオードＤ５６との並列回路が接続され、この並列回路と前記チップコンデンサＣ４５との接続点がチップ抵抗Ｒ５３を介して、チップコンデンサＣ５５によりグランド電極１１１に接続された第２のＤＣ印加端子５２に接続されている。そして、二つのＤＣ印加端子５１，５２に印加するＤＣ制御電圧の組み合わせを制御することで、異なる三種類のアンテナ長を実現することができる。具体的には、板状アンテナＡＮＴ５１、チップアンテナＡＮＴ４２のみがアンテナとして機能する最もアンテナ長が短いモードと、板状アンテナＡＮＴ５１、チップアンテナＡＮＴ４２，ＡＮＴ４３がアンテナとして機能する中間の長さのアンテナ長からなるモードと、板状アンテナＡＮＴ５１、チップアンテナＡＮＴ４２，ＡＮＴ４３，ＡＮＴ５２の全てがアンテナとして機能する最も長いアンテナ長からなるモードとを選択的に設定することができる。
【００６０】
このように、ロッドアンテナを表示用筐体内に形成された板状アンテナに置換することで、テレビ用アンテナ部４が筐体から全く突出しないので、テレビジョン放送信号受信時でも携帯電話装置の外形を小さくすることができる。この際、板状アンテナでは外部に突出するロッドアンテナと比較して放射特性が劣化するが、前述のようにアンテナ長の設定が細分化されることで、アンテナのインピーダンス整合を細かく設定でき、前述の劣化を抑制することができる。この際、板状アンテナＡＮＴ５１が表示用筐体１の内面に貼設されているので、これに対向する基板１０１表面に前記チップアンテナＡＮＴ４２，４３，５２を実装することができ、結果的に高効率でテレビ所放送信号を受信する携帯電話装置を小型に形成することができる。
【００６１】
次に、第５の実施形態に係るテレビ機能付き携帯電話装置について図１２を参照して説明する。
図１２は本実施形態に係る携帯電話装置の外観図であり、（Ａ）は開いた状態での正面図、（Ｂ）は開いた状態での側面図である。
また、図１３（Ａ）は本実施形態に係る携帯電話装置の分解構成図であり、図１３（Ｂ）はこの装置のテレビ用アンテナ部材６の平面図である。
図１２、図１３に示すテレビ機能付き携帯電話装置は、第１の実施形態に示したテレビ用アンテナ部４が、着脱可能なテレビ用アンテナ部材６に代わったものであり、他の構成は図１に示したテレビ機能付き携帯電話装置と同じである。
テレビ用アンテナ部材６は、基板６０に、ロッドアンテナＡＮＴ６１と、チップアンテナＡＮＴ６２，ＡＮＴ６３と、チューナ回路６４とが実装されたものであり、ロッドアンテナ６１が図２のロッドアンテナＡＮＴ４１に対応し、チップアンテナＡＮＴ６２，ＡＮＴ６３が図２のチップアンテナＡＮＴ４２，ＡＮＴ４３にそれぞれ対応した、図２に示したアンテナ回路と同じ構成の回路が形成されている。そして、この回路の給電点がチューナ回路６４に接続する構造を成している。
【００６２】
このような構成であっても、第１の実施形態と同様の効果を奏することができるとともに、テレビジョン放送受信時にのみテレビ用アンテナ部材６を装着すればよいので、携帯電話送受信時には携帯電話用アンテナのみが配置される状態となる。これにより、相互干渉は生じず、より一層効率良く携帯電話通信信号を送受信することができる。
【００６３】
なお、前述の各実施形態では、第１周波数帯の信号としてテレビジョン放送信号を用い、第１周波数帯よりも高い周波数の第２周波数帯の信号として携帯電話通信信号を用いた例を示した。しかしながら、装置が受信する２つの信号の周波数が異なるものであれば、前述の構成を適用することができ、前述の効果を奏することができる。
【図面の簡単な説明】
【００６４】
【図１】第１の実施形態に係る携帯電話装置の外観図である。
【図２】第１の実施形態に係る携帯電話装置のテレビ用アンテナ部４の構成を示す図である。
【図３】テレビ用アンテナ部４におけるＤＣ制御電圧印加時とＤＣ制御電圧無印加時とを示す回路図である。
【図４】第１の実施形態に係る携帯電話装置のダイオードＤ４８がＯＦＦ状態の場合のＶＳＷＲ特性とゲイン特性を示すグラフ、および、この状態でのスミスチャートである。
【図５】第１の実施形態に係る携帯電話装置のダイオードＤ４８がＯＦＦ状態の場合の放射電界強度の指向性を示した図である。
【図６】第１の実施形態に係る携帯電話装置のダイオードＤ４８がＯＮ状態の場合のＶＳＷＲ特性とゲイン特性を示すグラフ、および、この状態でのスミスチャートである。
【図７】第１の実施形態に係る携帯電話装置のダイオードＤ４８がＯＮ状態の場合の放射電界強度の指向性を示した図である。
【図８】第２の実施形態に係る携帯電話装置の外観図である。
【図９】第３の実施形態に係る携帯電話装置の外観図である。
【図１０】第４の実施形態に係る携帯電話装置の外観図である。
【図１１】第４の実施形態に係る携帯電話装置のテレビ用アンテナ部４の回路図である。
【図１２】第５の実施形態に係る携帯電話装置の外観図である。
【図１３】第５の実施形態に係る携帯電話装置の分解構成図である。
【符号の説明】
【００６５】
１−表示用筐体
１０Ａ−メイン表示パネル
１０Ｂ−サブ表示パネル
１０１−基板
１１１−基板１０１のグランド電極
２−操作用筐体
２０−操作部
１０２−基板
１１２−基板１０２のグランド電極
３−ヒンジ部
１１３−フラットケーブル
４−テレビ用アンテナ部
５−携帯電話用アンテナ部
６−テレビ用アンテナ部材
ＡＮＴ４１−ロッドアンテナ
ＡＮＴ４２，４３，５２−チップアンテナ
ＡＮＴ５１−板状アンテナ
【国際調査報告】
2005114778.tif 000021
2005114778.tif 000022
2005114778.tif 000023
2005114778.tif 000024
2005114778.tif 000025